(57)【要約】      （修正有）【課題】構造が極めて簡単で、構成部材を最小限にすることができ、施工を簡易且つ迅速にでき、構造を極めて強固なものとした採光外囲体とする。【解決手段】下馳部１５と上馳部１６とを有する折板建築用板１と、下馳用通し吊子２と、上馳用通し吊子３と、下部ベース材４と、上部ベース材と、採光ユニット６とからなること。採光ユニット装着箇所では、任意の折板建築用板１の未葺成箇所とされて採光開口部が形成され、該採光開口部の幅方向一方側に下馳用通し吊子２が設けられ、幅方向他方側に上馳用通し吊子３が設けられ、前記下部ベース材４の幅方向両側が前記下馳用通し吊子２と上馳用通し吊子３の両座板部に固着されること。下部ベース材４，下馳部１５，上馳部１６の上方に上部ベース材５が配置され、下部ベース材４の接合部に固着され、採光ユニット６の支持枠体は、上部ベース材のユニット取付部５２に固着されること。【選択図】図１
2010185179.tif 000002
【特許請求の範囲】
【請求項１】
下馳部と上馳部とを有する折板建築用板と、前記下馳部を係止する下馳係止部と座板部を有し且つ長手方向に長尺形成された下馳用通し吊子と、前記上馳部に係止される上馳係止部と座板部を有し且つ長手方向に長尺形成された上馳用通し吊子と、受け板部と接合部とを有する下部ベース材と、ユニット取付部を有する上部ベース材と、採光板と支持枠体とから構成された採光ユニットとからなり、該採光ユニット装着箇所では、任意の折板建築用板の一部が未葺成箇所とされて採光開口部が形成され、該採光開口部の幅方向一方側に前記下馳用通し吊子及び幅方向他方側に前記上馳用通し吊子がそれぞれ設けられ、前記下部ベース材の幅方向両側が前記下馳用通し吊子と前記上馳用通し吊子の両座板部に固着され、前記下部ベース材，下馳部及び上馳部の上方に前記上部ベース材が配置されると共に、前記下部ベース材の接合部に固着され、前記採光ユニットの支持枠体は、前記上部ベース材のユニット取付部に固着されてなることを特徴とする採光外囲体。
【請求項２】
請求項１において、前記下部ベース材の前記接合部は、前記受け板部の幅方向両側より立上り側部が形成され該立上り側部の上端に接合板片が形成され、前記上部ベース材は、前記接合板片に接合固着されてなることを特徴とする採光外囲体。
【請求項３】
請求項２において、前記下部ベース材の接合板片には、接合内螺子部が形成されてなることを特徴とする採光外囲体。
【請求項４】
請求項１，２又は３のいずれか１項の記載において、前記下部ベース材は、幅方向の両側に前記折板建築用板の頂部の下面側に当接される水平状端縁が形成されてなることを特徴とする採光外囲体。
【請求項５】
請求項１，２，３又は４のいずれか１項の記載において、前記下部ベース材には、幅方向の両側箇所に螺子軸が形成され、前記下馳用通し吊子及び前記上馳用通し吊子のそれぞれの座板部には前記螺子軸が貫通する貫通孔が形成されてなることを特徴とする採光外囲体。
【請求項６】
請求項１，２，３，４又は５のいずれか１項の記載において、前記採光開口部形成範囲の前記下馳部及び前記上馳部には外方側面に防水保護通し材が装着されてなることを特徴とする採光外囲体。
【請求項７】
請求項１，２，３，４，５又は６のいずれか１項の記載において、前記下馳用通し吊子の下馳係止部には、長手方向に多数の切込み部が形成されてなることを特徴とする採光外囲体。
【請求項８】
下馳部と上馳部とを有し下層外囲体を構成する折板建築用板と、前記下馳部を係止する下馳係止部と座板部を有し且つ長手方向に長尺形成された下馳用通し吊子と、前記上馳部に係止される上馳係止部と座板部を有し且つ長手方向に長尺形成された上馳用通し吊子と、受け板部と接合部とを有する下部ベース材と、ユニット取付部を有する上部ベース材と、採光板と支持枠体とから構成された採光ユニットと、上層外囲体を構成する上層折板建築用板とからなり、前記採光ユニット装着箇所では、任意の折板建築用板及び上層折板建築用板の一部が未葺成箇所とされて採光開口部が形成され、下層外囲体側の採光開口部の幅方向一方側に下馳用通し吊子及び幅方向他方側に上馳用通し吊子がそれぞれ設けられ、前記下部ベース材の幅方向両側が前記下馳用通し吊子と上馳用通し吊子の両座板部に固着され、前記上層外囲体の採光開口部に前記上部ベース材が配置されると共に、前記下部ベース材の接合部に固着され、前記採光ユニットの支持枠体は、前記上部ベース材のユニット取付部に固着されてなることを特徴とする採光外囲体。
【発明の詳細な説明】
【技術分野】
【０００１】
本発明は、構造が極めて簡単で、構成部材を最小限にすることができると共に施工を簡易且つ迅速にでき、しかも構造を極めて強固なものにすることができる採光外囲体に関する。
【背景技術】
【０００２】
従来、外部の光を屋内に採り入れる屋根，壁等の採光外囲体において種々のものが存在している。これらの多くは、屋根，壁等を構成する建築用板の適所に開口部を設け、該開口部箇所に採光板及び枠体からなる採光ユニットが水密的に設けられるものであった。そして、この種の多くのものでは、採光ユニットを取り付けるために、屋根又は壁等の外囲体を構成する構造体に複数の部材が装着されており、しかもその構成が極めて複雑であり、それゆえに組立作業も高い精度が要求され、困難且つ面倒なものであった。特に、採光部の力学的強度を十分なものにするために、屋根，壁等を支持するための母屋，胴縁等の構造材に強固な座板部材を装着し、該座板部材を介して採光ユニットを施工していた。
【先行技術文献】
【特許文献】
【０００３】
【特許文献１】特開２００４−１６９５０７
【特許文献２】特開平１０−３１７６０６号
【発明の概要】
【発明が解決しようとする課題】
【０００４】
近年、このような採光外囲体の構成を比較的簡単な構成とすることが試みられるようになっており、たとえば特許文献１又は２等に開示されたような構成のものが存在する。この構成によれば、採光構造部を屋根に装着するための部品を少数にして、構造を簡単なものとしている。しかしながら、そのために採光構造部を支持する構成では、採光構造部の枠と採光ガラスとが総合的に支持される構成ではなく、枠及び採光ガラスが別々に支持されるものである。
【０００５】
また施工時において、採光構造部は分離された状態から組み立てることになり、施工が面倒であり、上記のことから、採光構造部の組立精度も低くなり、強度上の不安も十分に有りうる。本発明が解決しようとする課題（技術的課題又は目的）は、採光外囲体の構成を簡単にすると共に、施工も簡易且つ迅速にできるようにし、その力学的強度も十分に満足されるようにすることにある。
【課題を解決するための手段】
【０００６】
そこで、発明者は、上記課題を解決すべく、鋭意，研究を重ねた結果、請求項１の発明を、下馳部と上馳部とを有する折板建築用板と、前記下馳部を係止する下馳係止部と座板部を有し且つ長手方向に長尺形成された下馳用通し吊子と、前記上馳部に係止される上馳係止部と座板部を有し且つ長手方向に長尺形成された上馳用通し吊子と、受け板部と接合部とを有する下部ベース材と、ユニット取付部を有する上部ベース材と、採光板と支持枠体とから構成された採光ユニットとからなり、該採光ユニット装着箇所では、任意の折板建築用板の一部が未葺成箇所とされて採光開口部が形成され、該採光開口部の幅方向一方側に前記下馳用通し吊子及び幅方向他方側に前記上馳用通し吊子がそれぞれ設けられ、前記下部ベース材の幅方向両側が前記下馳用通し吊子と前記上馳用通し吊子の両座板部に固着され、前記下部ベース材，下馳部及び上馳部の上方に前記上部ベース材が配置されると共に、前記下部ベース材の接合部に固着され、前記採光ユニットの支持枠体は、前記上部ベース材のユニット取付部に固着されてなる採光外囲体としたことにより、上記課題を解決した。
【０００７】
請求項２の発明を、請求項１において、前記下部ベース材の前記接合部は、前記受け板部の幅方向両側より立上り側部が形成され該立上り側部の上端に接合板片が形成され、前記上部ベース材は、前記接合板片に接合固着されてなる採光外囲体としたことにより、上記課題を解決した。請求項３の発明を、請求項２において、前記下部ベース材の接合板片には、接合内螺子部が形成されてなる採光外囲体としたことにより、上記課題を解決した。請求項４の発明を、請求項１，２又は３のいずれか１項の記載において、前記下部ベース材は、幅方向の両側に前記折板建築用板の頂部の下面側に当接される水平状端縁が形成されてなる採光外囲体としたことにより、上記課題を解決した。
【０００８】
請求項５の発明を、請求項１，２，３又は４のいずれか１項の記載において、前記下部ベース材には、幅方向の両側箇所に螺子軸が形成され、前記下馳用通し吊子及び前記上馳用通し吊子のそれぞれの座板部には前記螺子軸が貫通する貫通孔が形成されてなる採光外囲体としたことにより、上記課題を解決した。請求項６の発明を、請求項１，２，３，４又は５のいずれか１項の記載において、前記採光開口部形成範囲の前記下馳部及び前記上馳部には外方側面に防水保護通し材が装着されてなる採光外囲体としたことにより、上記課題を解決した。請求項７の発明を、請求項１，２，３，４，５又は６のいずれか１項の記載において、前記下馳用通し吊子の下馳係止部には、長手方向に多数の切込み部が形成されてなる採光外囲体としたことにより、上記課題を解決した。
【０００９】
請求項８の発明を、下馳部と上馳部とを有し下層外囲体を構成する折板建築用板と、前記下馳部を係止する下馳係止部と座板部を有し且つ長手方向に長尺形成された下馳用通し吊子と、前記上馳部に係止される上馳係止部と座板部を有し且つ長手方向に長尺形成された上馳用通し吊子と、受け板部と接合部とを有する下部ベース材と、ユニット取付部を有する上部ベース材と、採光板と支持枠体とから構成された採光ユニットと、上層外囲体を構成する上層折板建築用板とからなり、前記採光ユニット装着箇所では、任意の折板建築用板及び上層折板建築用板の一部が未葺成箇所とされて採光開口部が形成され、下層外囲体側の採光開口部の幅方向一方側に下馳用通し吊子及び幅方向他方側に上馳用通し吊子がそれぞれ設けられ、前記下部ベース材の幅方向両側が前記下馳用通し吊子と上馳用通し吊子の両座板部に固着され、前記上層外囲体の採光開口部に前記上部ベース材が配置されると共に、前記下部ベース材の接合部に固着され、前記採光ユニットの支持枠体は、前記上部ベース材のユニット取付部に固着されてなる採光外囲体としたことにより、上記課題を解決した。
【発明の効果】
【００１０】
請求項１の発明は、屋根，壁等を施工する際に、採光部を支持するための強固な構造体を構成することなく、採光外囲体を極めて少数の部品点数にて、簡易且つ迅速に施工することができる。また、特に下馳用通し吊子及び上馳用通し吊子は、それぞれ長手方向に長尺形成されたものであり、下馳用通し吊子は折板建築用板の下馳部に係止することにより折板建築用板に簡単に装着することができ、同様に上馳用通し吊子は折板建築用板の上馳部に係止するのみ折板建築用板に簡単に装着することができる。このようにして、採光開口部で、採光開口部の幅方向一方側に下馳用通し吊子を設けることができ、同様に幅方向他方側に上馳用通し吊子を設けることができる。
【００１１】
そして、採光開口部でこれらの下馳用通し吊子及び上馳用通し吊子の支持部に前記下部ベース材，前記下馳部及び前記上馳部の上方に前記上部ベース材が配置され、前記下部ベース材の接合部に固着され、また、前記採光ユニットの支持枠体は、前記上部ベース材のユニット取付部に固着されるもので、下馳用通し吊子及び上馳用通し吊子は、前記採光開口部の周辺における補強部材としての役目をなし、下馳用通し吊子及び上馳用通し吊子に装着された下部ベース材と上部ベース材が共に極めて強固に支持されることとなり、耐久性のある極めて強固な採光外囲体を構成することができるものである。また、このような強固な採光外囲体を構成することができると共に、構成部材は極めて少なくすることができ、施工も簡単にできる。請求項２の発明では、下部ベース材と上部ベース材とを接合するときに、前記接合部によってその高さの分量だけ、下部ベース材と上部ベース材との間に間隔を有することができる。この間隔を有することにより、下馳部と上馳部とを有する折板建築用板への装着に好適なものとなり、下部ベース材と上部ベース材とを折板建築用板により構成された採光開口部に装着するときに、極めて容易に装着することができる。
【００１２】
請求項３の発明では、接合内螺子部が下部ベース材の接合板片に形成されたことにより、下部ベース材と上部ベース材との接合が容易且つ迅速にできる。請求項４の発明では、前記下部ベース材の幅方向の両側に形成された水平状端縁が折板建築用板の頂部の裏面側に常時当接して固定されることになり、安定した装着にすることができる。請求項５の発明では、前記下部ベース材の螺子軸を、前記下馳用通し吊子及び前記上馳用通し吊子のそれぞれの座板部の貫通孔に貫通させてナット締めを行うことにより、下部ベース材の下馳用通し吊子及び上馳用通し吊子への装着を容易にすることができる。
【００１３】
請求項６の発明では、防水保護通し材によって、採光ユニットの装着箇所の水密性を確保することができる。請求項７の発明では、前記下馳用通し吊子の下馳係止部には、長手方向に多数の切込み部が形成されたことにより、下馳用通し吊子の下馳係止部を下馳部に容易に馳締することができる。請求項８は、２層屋根又は壁構造の採光外囲体を極めて少数の部品点数にて、簡易且つ迅速に施工することができる。
【図面の簡単な説明】
【００１４】
【図１】（Ａ）は本発明の要部平面略示図、（Ｂ）は（Ａ）のＸａ−Ｘａ矢視断面図、（Ｃ）は（Ａ）のＸｂ−Ｘｂ矢視断面図、である。
【図２】（Ａ）は採光開口部における受金具装着箇所の縦断正面略示図、（Ｂ）は採光開口部における受金具の非装着箇所の縦断正面略示図、（Ｃ）は折板建築用板の下馳部に下馳用通し吊子が装着される状態を示す斜視図と、折板建築用板の上馳部に上馳用通し吊子が装着された状態を示す斜視図。
【図３】（Ａ）は下馳用通し吊子の平面略示図、（Ｂ）は（Ａ）の（ア）部拡大図、（Ｃ）は下馳用通し吊子の拡大断面図、（Ｄ）は下馳用通し吊子の要部斜視図、（Ｅ）は上馳用通し吊子の平面略示図、（Ｆ）は（Ｅ）の（イ）部拡大図、（Ｇ）は上馳用通し吊子の要部斜視図。
【図４】（Ａ）は下部ベース材の斜視図、（Ｂ）は（Ａ）のＸｃ−Ｘｃ矢視断面図、（Ｃ）は（Ａ）のＸｄ−Ｘｄ矢視断面図である。
【図５】（Ａ）は上部ベース材の斜視図、（Ｂ）は（Ａ）のＸｅ−Ｘｅ矢視断面図である。
【図６】本発明における採光開口部を中心とした外囲体の平面略示図である。
【図７】（Ａ）は採光開口部に下部ベース材を装着した状態の平面略示図、（Ｂ）は採光開口部に上部ベース材を装着した平面略示図である。
【図８】（Ａ）乃至（Ｃ）は採光開口部に下馳用通し吊子及び上馳用通し吊子に下部ベース材を装着するまでの工程図である。
【図９】（Ａ）乃至（Ｃ）は採光開口部に下部ベース材及び上部ベース材を介して採光ユニットを装着するまでの工程図である。
【図１０】（Ａ）は採光開口部に採光ユニットを装着した状態の要部の縦断側面略示図、（Ｂ）は（Ａ）の（ウ）部拡大図、（Ｃ）は（Ａ）の（エ）部拡大図である。
【図１１】（Ａ）は２層採光外囲体の縦断正面略示図、（Ｂ）は（Ａ）の分解図である。
【発明を実施するための形態】
【００１５】
以下、本発明の実施例を図面に基づいて説明する。まず、本発明の採光外囲体を構成する主な部材は、図１，図２等に示すように、折板建築用板１，下馳用通し吊子２，上馳用通し吊子３と、下部ベース材４，上部ベース材５及び採光ユニット６等であり、その他にも本発明を施工するために種々の部材が使用される。
【００１６】
前記折板建築用板１は、屋根，壁等の外囲体を構成するための部材であり、以下の折板建築用板１の形状の説明において、該折板建築用板１の上下方向及び外方又は内方等の方向は屋根板材として見た場合を中心として説明する。折板建築用板１は、図１（Ａ），図２，図６等に示すように、長尺部材であり、その長尺方向を長手方向とする。また、折板建築用板１の幅方向とは、長手方向に直交する方向のことである。したがって、複数の折板建築用板１，１，…が並設されて施工される屋根では、折板建築用板１の長手方向に沿って上方側を水上側とし、下方側を水下側とする〔図１（Ａ），図６及び図１０等参照〕。上記長手方向及び幅方向については、図１，図６及び図７中において、長手方向がＸ方向として示されており、幅方向がＹ方向として示されている。
【００１７】
折板建築用板１は、図１，図２，図８等に示すように、主板１１の幅方向両側に立上側部１２，１２が形成され、それぞれの立上側部１２，１２の上端に頂部１３，１３が形成され、両頂部１３，１３には首部１４，１４が形成され、一方側の首部１４には下馳部１５が形成され、他方側の首部１４には上馳部１６が形成されている。さらに、折板建築用板１と共に使用されるその他の下馳用通し吊子２，上馳用通し吊子３，下部ベース材４及び上部ベース材５等の部材において、それぞれの長手方向は、折板建築用板１の長手方向と同等方向であるものとする。したがって、下馳用通し吊子２，上馳用通し吊子３，下部ベース材４及び上部ベース材５等の部材の幅方向は、折板建築用板１の幅方向と同方向となる（図７参照）。
【００１８】
前記立上り側部１２は、上端が下端よりも外方になるように傾斜形成されたものであり、前記主板１１と両立上り側部１２，１２とによって、略有底Ｖ字形状をなしている（図６参照）。前記頂部１３は、略水平状に形成されるものであるが、外端側が内端（立上り側部１２と連続している側）よりも僅かに上方に位置するように傾斜形成されている。前記両首部１４，１４は、略垂直板片状に形成され、一方の首部１４の上端に下馳部１５が形成され、他方の首部１４の上端に上馳部１６が形成されている〔図１（Ｂ），（Ｃ），図２（Ｃ），図８等参照〕。
【００１９】
前記下馳部１５は、円弧状屈曲部１５ａ，上片部１５ｂ，屈曲端縁１５ｃから構成されたものであり、円弧状屈曲部１５ａの上端に上片部１５ｂが連続形成され、該上片部１５ｂの外端から下方側に向かって屈曲端縁１５ｃが連続形成されている。該屈曲端縁１５ｃは、略Ｃ字形状に形成されたものである〔図１（Ｂ），（Ｃ），図２（Ｃ），図８等参照〕。
【００２０】
前記上馳部１６は、前記下馳部１５と略同様に円弧状屈曲部１６ａ，上片部１６ｂ，屈曲端縁１６ｃから構成されたものである。そして、前記屈曲端縁１６ｃは、略密着Ｃ字形状に折り返し形成された部位である〔図１（Ｂ），（Ｃ），図８参照〕。折板建築用板１は、屋根又は壁等の外囲体を構成するときに、図６に示すように、複数の折板建築用板１，１，…を複数個、並設し、後述する受金具を介して、隣接する折板建築用板１，１同士の下馳部に上馳部１６を馳締連結するものである。
【００２１】
下馳用通し吊子２は、図３（Ａ），図６に示すように、長手方向に沿って長尺形成された部材である。そして、下馳用通し吊子２は、図１（Ｂ）,（Ｃ），図２（Ｃ），図８に示すように、前記折板建築用板１の下馳部１５に装着され、且つ後述する採光開口部Ｓの長手方向の長さに沿って、複数の下馳用通し吊子２が略１列状に配置されて設けられる部材である。下馳用通し吊子２は、主に下馳係止部２１，座板部２２及び立上り首部２３とから構成されている〔図３（Ｃ）,（Ｄ）参照〕。
【００２２】
前記下馳係止部２１，座板部２２及び立上り首部２３は、それぞれが長手方向にそれぞれ長尺であり、前記下馳係止部２１と座板部２２とは、前記立上り首部２３によって連続形成されている〔図３（Ｃ），（Ｄ）参照〕。前記下馳係止部２１は、前記折板建築用板１の下馳部１５の形状に略等しく、該下馳部１５よりも僅かに大きく形成されると共に、前記下馳部１５に対応して円弧状屈曲部２１ａ，上片部２１ｂ及び屈曲端縁２１ｃが形成されている（図８参照）。
【００２３】
前記下馳部１５に前記下馳係止部２１が係止される構造は、図２（Ｃ），図８（Ａ）,
（Ｂ）に示すように、該下馳係止部２１を前記下馳部１５の外方から包囲重合するようにして、係止するものであって、その係止状態は、前記円弧状屈曲部１５ａ，２１ａとが対応し、上片部１５ｂ，２１ｂとが対応し、また屈曲端縁１５ｃ，２１ｃとが対応する構造となっている。また、前記首部１４と前記立上り首部２３とが対応する。これらの対応は、略接触状態であり、部分的には近接状態となることもある。
【００２４】
前記下馳係止部２１には、長手方向に沿って略等間隔に複数の切込み部２１ｄ，２１ｄ，…が形成されている〔図２（Ｃ），図３（Ａ）,（Ｂ）,（Ｄ）参照〕。該切込み部２１ｄ，２１ｄ，…はスリット状であり、その切り込み方向は、前記下馳用通し吊子２の長手方向に直交する方向である。切込み部２１ｄ，２１ｄ，…は、主に前記屈曲端縁２１ｃの形成範囲に形成されるものである。前記複数の切込み部２１ｄ，２１ｄ，…によって、前記下馳係止部２１は、複数個の小片の集合と同等の構成となる。
【００２５】
これによって、前記折板建築用板１の下馳部１５に、前記下馳係止部２１を馳締め状態で係止するときには、分離されて小片となった下馳係止部２１を一枚づつ折り曲げて、前記下馳部１５に係止することができ、比較的小さな力のみで係止することができる〔図２（Ｃ）参照〕。したがって、下馳係止部２１の切込み部２１ｄ，２１ｄ，…は、多数形成されているものであることが好ましく、多数であるほど、より一層、小形の小片に区分けされることになり、下馳係止部２１を下馳部１５に対して小さな力で係止することができる。
【００２６】
前記座板部２２は、図３（Ｃ）,（Ｄ）に示すように、略水平状の支持板２２ａの外端
より略垂直状の立上り小片２２ｂが形成されている。前記座板部２２は、前記下馳係止部２１の円弧状屈曲部２１ａ側より水平方向に突出するように形成される。前記支持板２２ａには、所定間隔をおいて、後述する受金具７に固定したり、又は下部ベース材４が装着されるための貫通孔２２ｃが形成されている。
【００２７】
次に、上馳用通し吊子３は、図３（Ｅ），図６に示すように、前記下馳用通し吊子２と同様に、長手方向に沿って長尺形成された部材であり、その長手方向の寸法等は該下馳用通し吊子２と同等寸法である。そして、上馳用通し吊子３は、前記折板建築用板１の上馳部１６に装着され、且つ後述する採光開口部Ｓの長手方向の長さに沿って、複数の上馳用通し吊子３が略１列状に配置されて設けられる部材である。上馳用通し吊子３は、主に上馳係止部３１，座板部３２及び立上り首部３３とから構成されている〔図３（Ｆ）,（Ｇ
）参照〕。
【００２８】
前記上馳係止部３１，座板部３２及び立上り首部３３は、それぞれが長手方向に長尺であり、前記上馳係止部３１と座板部３２とは、前記立上り首部３３によって連続形成されている。前記上馳係止部３１は、前記折板建築用板１の上馳部１６の形状に略等しく、該上馳部１６よりも僅かに大きく形成されると共に、前記上馳部１６に対応して円弧状屈曲部３１ａ，上片部３１ｂ及び屈曲端縁３１ｃが形成されている〔図１（Ｂ）,（Ｃ），図
３（Ｆ），（Ｇ），図８等参照〕。
【００２９】
前記上馳部１６に前記上馳係止部３１が係止される構造は、図８（Ａ）,（Ｂ）に示す
ように、前記上馳部１６を前記上馳係止部３１の外方から包囲重合するようにして、係止するものであって、その係止状態は、前記円弧状屈曲部１６ａ，３１ａとが対応し、上片部１６ｂ，３１ｂとが対応し、また屈曲端縁１６ｃ，３１ｃとが対応する構造となっている。また、前記首部１４と前記立上り首部３３とが対応する。これらの対応は、略接触状態であり、部分的には近接状態となることもある。そして、前記折板建築用板１の上馳部１６の屈曲端縁１６ｃが前記上馳用通し吊子３の上馳係止部３１に巻きつけるように折り返し形成されるものである〔図８（Ｂ）参照〕。
【００３０】
前記座板部３２は、図３（Ｆ）,（Ｇ）に示すように、略水平状の支持板３２ａの外端
より略垂直状の立上り小片３２ｂが形成されている。前記座板部３２は、前記上馳係止部３１の屈曲端縁３１ｃ側より水平方向に突出するように形成される。前記支持板３２ａには、所定間隔をおいて、後述する受金具に固定したり、又は下部ベース材４が装着されるための貫通孔３２ｃが形成されている。前記上馳用通し吊子３の座板部３２は、前記下馳用通し吊子２の座板部２２と左右対称の同一形状（略同一形状も含む）となる。
【００３１】
次に、下部ベース材４は、図１（Ｂ）,図４に示すように、受け板部４１と接合部４２
とから構成されるものである。前記受け板部４１の長手方向両側箇所は、取付部４１ａであって、螺子軸４３が設けられている。該螺子軸４３は、具体的にはボルトが使用され、該ボルトの螺子部が前記受け板部４１の上面側に突出され、該受け板部４１の下面側にボルト頭部が位置するように形成されたものである。螺子軸４３としたボルトは、前記受け板部４１に溶接又は圧入等により固着されている。
【００３２】
前記接合部４２は、図１（Ｂ），図４，図８（Ｃ）に示すように、前記受け板部４１の幅方向両側箇所より立上り側部４２ａ，４２ａが形成され、両立上り側部４２ａ，４２ａの上端から互いに内方に向かって接合板片４２ｂ，４２ｂが形成されている。さらに、接合板片４２ｂ，４２ｂの内端側より補強片４２ｃ，４２ｃが形成されている。それぞれの接合板片４２ｂ，４２ｂには、接合内螺子部４５，４５，…が形成されている。
【００３３】
接合内螺子部４５は、前記接合板片４２ｂに貫通孔４２ｄが形成され、該貫通孔４２ｄ箇所で且つ前記接合板片４２ｂの下面側にナットが溶接等によって固着されたものである〔図４（Ｂ），（Ｃ）参照〕。前記接合内螺子部４５，４５，…は、後述する上部ベース材５が固着されるための役目をなす部位となる。前記接合内螺子部４５，４５，…は、それぞれの接合板片４２ｂの長手方向に沿って所定の間隔をおいて複数形成されたものである。
【００３４】
次に、上部ベース材５は、図１（Ｂ），図５，図９（Ｂ）に示すように、カバー板部５１の長手方向両側箇所からユニット取付部５２が形成されたものである。また、前記カバー板部５１の幅方向両側には、略垂直板状の補強片５１ａ，５１ａが形成されたものである。さらに、前記カバー板部５１には、複数の接合貫通孔５３，５３，…が形成されている。該接合貫通孔５３，５３，…は、前記下部ベース材４の接合内螺子部４５，４５，…の位置に対応する位置となるように形成されている。また、前記ユニット取付部５２は、前記カバー板部５１の長手方向両側で且つ下方側に向かって略直角状に折曲形成された部位である。
【００３５】
次に、採光ユニット６は、図１，図２（Ａ），（Ｂ），図９（Ｃ），図１０等に示すように、主に支持枠体６１、採光板６２とから構成されている。前記支持枠体６１は、その断面形状が左右対称形状としたものであり、主採光板６２は、ガラス，アクリル等の透明又は乳白色等であり、ガラス板の場合には網入りガラスが使用されることもある。前記支持枠体６１は、図１（Ａ）に示すように、縦枠部６１１と横枠部６１２とからなり、支持枠体６１が採光開口部Ｓに装着されたときには、縦枠部６１１が採光開口部Ｓの長手方向に沿う方向となり、横枠部６１２は、採光開口部Ｓの幅方向に沿う方向となる。
【００３６】
受金具７は、図１（Ｂ），図２（Ａ），図８（Ａ），（Ｂ）等に示すように、支持頂部７１の幅方向両側から脚部７２，７２が形成されたものである。前記支持頂部７１に対して両脚部７２，７２は、略ハ字形状に形成されたものである。前記支持頂部７１には、高面部７１ａと低面部７１ｂ及びその段差箇所に垂直面部７１ｃが形成されている。前記脚部７２，７２の下端には、水平状の座部７２ａが形成され、構造材１００に設置し易い構造となっている。構造材１００は、母屋，胴縁等であり、Ｈ形鋼等が使用されている。
【００３７】
次に、屋根，壁等の外囲体の施工について、説明する。まず、所定間隔に配置されたそれぞれの構造材１００上に所定間隔をおいて複数の受金具７，７，…が設置される（図６参照）。そして、隣接する受金具７，７間に前記折板建築用板１が配置され、前記受金具７の支持頂部７１にて、隣接する折板建築用板１，１の下馳部１５と上馳部１６とを吊子を介して馳締接合し、屋根，壁等の外囲体を施工する。このように、通常の屋根，壁の部分では、前記受金具７は、同一の方向になるように設置される。
【００３８】
次に、外囲体に採光ユニット６が装着される施工について説明する。該採光ユニット６が装着される外囲体の箇所には、図６に示すように、採光開口部Ｓが設けられる。まず、該採光ユニットＳの装着箇所では、任意の折板建築用板１の一部が未葺成箇所とされて採光開口部Ｓが形成される。ここで、採光開口部Ｓが形成される任意の折板建築用板１は、採光開口部Ｓの大きさによって決定されるものであり、通常は１（本）である。また、採光開口部Ｓが大きなサイズの場合には、任意の折板建築用板１の個数は１（本）のみではなく、複数本となる場合もある。前記任意の折板建築用板１における未葺成箇所の構成としては、複数並設される折板建築用板１，１，…のうちで、任意の折板建築用板１の装着位置に、該折板建築用板１が存在しない領域が設けられたものである。
【００３９】
折板建築用板１における未葺成箇所の具体的な施工手段としては、任意の折板建築用板１の長手方向に沿って適宜の部分をその幅方向に亘って全部切除することによって未葺成箇所を形成したり、或いは、任意の折板建築用板１を予めその他の折板建築用板１よりも短い２本用意し、その２本を長手方向に１列に配置した状態で、未葺成箇所が形成されるようにすることもある。この未葺成箇所領域が採光開口部Ｓとなる。該採光開口部Ｓでは、前記折板建築用板１の下馳部１５と、前記折板建築用板１に対して採光開口部Ｓ箇所で隣接する折板建築用板１の上馳部１６とが対向する状態となる。また、採光開口部Ｓの長手方向の両側には、それぞれ折板建築用板１，１が存在する。
【００４０】
すなわち、採光開口部Ｓでは、図６，図８（Ａ）に示すように、その幅方向両側に下馳部１５と上馳部１６とが位置することになる。さらに採光開口部Ｓ箇所で隣接する折板建築用板１を支持する両受金具７，７は左右対称に設置される〔図２（Ａ）参照〕。具体的には、隣接する受金具７，７は、図１（Ａ），図８（Ａ），（Ｂ）等に示すように、それぞれの両低面部７１ｂ，７１ｂ同士が対向するようにして設置されるものである。前記採光開口部Ｓの幅方向一方側に位置する前記下馳部１５には、前記下馳用通し吊子２が装着される。また、前記採光開口部Ｓの幅方向他方側に位置する前記上馳部１６には、前記上馳用通し吊子３が装着される〔図８（Ａ）参照〕。
【００４１】
具体的には、前記下馳用通し吊子２の下馳係止部２１が、下馳部１５に係止され、下馳用通し吊子２の座板部２２が採光開口部Ｓの幅方向一方側で且つ採光開口部Ｓの長手方向に沿って位置している〔図６，図７（Ａ）参照〕。さらに、前記上馳用通し吊子３の上馳係止部３１が、上馳部１６に係止され、上馳用通し吊子３の座板部３２が採光開口部Ｓの幅方向他方側で且つ採光開口部Ｓの長手方向に沿って位置している。
【００４２】
前記採光開口部Ｓの幅方向の一方側には、下馳用通し吊子２の座板部２２が位置し、前記採光開口部Ｓの幅方向の他方側では上馳用通し吊子３の座板部３２が位置している。このとき、前記採光開口部Ｓの幅方向一方側の下馳用通し吊子２の座板部２２及び幅方向他方側の上馳用通し吊子３の座板部３２は、それぞれ左右対称に配置された受金具７，７のそれぞれの低面部７１ｂ，７１ｂに載置され、ボルト１０１及びナット１０２によって固着される〔図１（Ｂ），（Ｃ），図８（Ｂ）参照〕。このとき、前記ボルト１０１及びナット１０２と共に、略長方形状の座金１０３が使用される。該座金１０３は、断面略凹形状に形成されたものであり、前記下馳用通し吊子２の座板部２２及び前記上馳用通し吊子３の座板部３２上に設置される（図６，図７参照）。
【００４３】
さらに、採光開口部Ｓ内において、下部ベース材４の長手方向の両側の取付部４１ａ，４１ａが下馳用通し吊子２の座板部２２の下面及び上馳用通し吊子３の座板部３２の下面に当接され、両座板部２２，３２に前記螺子軸４３とナット４６を介して固着される〔図８（Ｃ），図９（Ａ）参照〕。また両段部４４の水平状端縁４４ｂは、前記折板建築用板１の頂部１３の下面側に当接する状態となる。
【００４４】
さらに、両段部４４，４４の垂直片４４ａ，４４ａは、下馳用通し吊子２の立上り首部２３及び立上り首部３３の外側より挟持するように構成される（図９参照）。また、特に図示しないが、前記下馳用通し吊子２の座板部２２に立上り小片２２ｂが形成されず、且つ前記上馳用通し吊子３の座板部３２にも立上り小片３２ｂが形成されず、さらに前記下部ベース材４に段部４４が形成されない場合には、下部ベース材４の幅方向両側の取付部４１ａ，４１ａは、前記座板部２２，３２の支持板２２ａ，３２ａ上に載置され固着されることもある。
【００４５】
次に、前記下部ベース材４の接合部４２上に上部ベース材５が配置される。このとき、上部ベース材５のカバー板部５１は、採光開口部Ｓにおける下馳部１５及び上馳部１６の上方に位置しており、さらにユニット取付部５２，５２は、採光開口部Ｓにおける下馳部１５と上馳部１６を挟持するように構成される〔図９（Ｂ），（Ｃ）参照〕。上部ベース材５は、下部ベース材４の接合部４２の接合板片４２ｂに設けられた接合内螺子部４５を介してボルトにて連結固着される。このようにして、前記下部ベース材４と前記上部ベース材５とが前記下馳部１５と前記上馳部１６とを上下方向に挟持するようにして、採光開口部Ｓ内に装着される。下部ベース材４と上部ベース材５とは、一組となって、前記採光開口部Ｓの長手方向に沿って適宜の間隔をおいて配置されるものである。
【００４６】
次いで、採光ユニット６の対向する縦枠部６１１，６１１が前記上部ベース材５の両ユニット取付部５２，５２の外方側より挟持するようにして、ビス等の固着具６３にて固着されるものである〔図１（Ｃ）参照〕。すなわち、採光ユニット６は、採光開口部Ｓに設置された複数の下部ベース材４及び上部ベース材５によって支持固定される。前記採光開口部Ｓにおいて幅方向両側の下馳部１５及び上馳部１６のそれぞれの外方側には図１（Ｂ），（Ｃ），図７（Ｂ）等に示すように、前記採光開口部Ｓの長手方向と略同等寸法の長尺な防水保護通し材８が装着される。該防水保護通し材８は、柔軟な合成樹脂，ウレタン，ゴム等が使用され、前記下馳部１５と、前記上馳部１６の外方側の形状に等しい凹部が形成されたものである。前記防水保護通し材８は、長手方向に長尺に形成されており、採光開口部Ｓと後述する採光ユニット６との間における水密性及び防水性を確保するものである。
【００４７】
前記採光ユニット６が装着された採光開口部Ｓの長手方向両側の仕上げは、該採光開口部Ｓの長手方向における水下及び水上側の端部で、且つ折板建築用板１の主板１１及び両立上り側部１２，１２との空隙部に面戸９１が設置され、前記採光開口部Ｓの長手方向の水下側端部には水下カバー材９２が装着され、該水下カバー材９２の上面には水下エンドカバー材９３が装着される。図１０は、本発明を長手方向に沿った縦断側面図であり、図１０（Ａ），（Ｂ），（Ｃ）において、傾斜上方側が水上側であり、傾斜下方側が水下側である。採光開口部Ｓの水上側及び水下側には面戸９１がそれぞれ装着されている。
【００４８】
前記採光開口部Ｓの長手方向の水上側端部には水上カバー材９４が装着され、該水上カバー材９４の上面には水上エンドカバー材９５が装着される〔図１０（Ａ），（Ｃ）参照〕。前記水上カバー材９４は、前記採光開口部Ｓの長手方向水上側端部から外囲体の水上側端部まで連通して形成される。そして、採光ユニット６は、前記採光開口部Ｓの長手方向すなわち水上側から水下側に１列状に装着され、隣接する採光ユニット６,６の間にはジョイントカバー９６が装着されている〔図１０（Ａ）,（Ｂ）参照〕。前記水下カバー材９２，水下エンドカバー材９３，水上カバー材９４，水上エンドカバー材９５及びジョイントカバー９６は、採光開口部Ｓと採光ユニット６との間を水密構造とし、水密性及び防水性を有するようにしたものである。
【００４９】
図１１（Ａ）は、本発明において、前記折板建築用板１によって、下層外囲体が構成され、上層折板建築用板９によって上層外囲体が構成され、これら下層外囲体と上層外囲体とによって２層屋根としたものである。具体的な構造としては、図１１（Ｂ）に示すように、前記下層外囲体では、前述したように、折板建築用板１による未葺成箇所を設けて採光開口部Ｓが構成される。同様に上層外囲体においても、採光開口部Ｓが構成される。
【００５０】
下層外囲体の採光開口部Ｓにおける折板建築用板１の前記下馳部１５には下馳用通し吊子２が装着され、前記上馳部１６には上馳用通し吊子３が装着される。そして、前記受け板部４１と接合部４２とを有する下部ベース材４が、前述したように下層外囲体の採光開口部Ｓに装着される。該下部ベース材４に中間部材１０４を介して前記上層外囲体の採光開口部Ｓ箇所の上方に前記上部ベース材５が配置され、前記下部ベース材４の接合部４２に固着された前記中間部材１０４上に、前記採光ユニット６の支持枠体６１は、前記上部ベース材５のユニット取付部５２に固着されたものである。
【符号の説明】
【００５１】
１…折板建築用板、１５…下馳部、１６…上馳部、２…下馳用通し吊子、
２１…下馳係止部、２１ｄ…切込み部、２２…座板部、３…上馳用通し吊子、
３１…上馳係止部、３２…座板部、４…下部ベース材、４１…受け板部、４２…接合部、４２ａ…立上り側部、４２ｂ…接合板片、４３…螺子軸、４４…段部、
４４ｂ…水平状端縁、４５…接合内螺子部、５…上部ベース材、５２…ユニット取付部、６…採光ユニット、６１…支持枠体、６２…採光板、９…上層折板建築用板、
Ｓ…採光開口部。  
【図１】
2010185179.tif 000003
【図２】
2010185179.tif 000004
【図３】
2010185179.tif 000005
【図４】
2010185179.tif 000006
【図５】
2010185179.tif 000007
【図６】
2010185179.tif 000008
【図７】
2010185179.tif 000009
【図８】
2010185179.tif 000010
【図９】
2010185179.tif 000011
【図１０】
2010185179.tif 000012
【図１１】
2010185179.tif 000013